(57)【要約】  棚や他の荷重支持板が一対の上下部ブラケットの間に嵌め込まれ、柱の間に着脱可能に設置される。上下部ブラケット対は柱の対向する側面に設置され、互いに対向する２対のブラケットを含む。一方、ブラケットの突出部が板の溝と結合し、板が抜けないようにする。このような板は、柱の間において片持ち梁形態で設置される。【選択図】図６ａ
2014532485.tif 000002
【特許請求の範囲】
【請求項１】
２つ以上の柱が垂直に伸びる前方端と後方端を有し、これらの前後方端の間に両側面を有し、
前記柱の側面に沿って同じ孔群が間隔を置いて形成されており、各孔群にピンを嵌め込むピン孔と締結具孔があり、
前記孔群が柱の長さに沿って互いに行き違うように配列され、最上側から、第１孔群は柱の後方端付近に位置し、第２孔群は柱の前方端付近に位置し、第２孔群は第１孔群よりも下に第１垂直間隔を置いて位置し、
第３孔群は第２孔群よりも下に第２垂直間隔を置いて柱の後方端付近に位置し、第２垂直間隔が第１垂直間隔よりも大きく、
第４孔群は第１垂直間隔だけ第３孔群よりも下に柱の前方端付近に位置し、
多数のブラケットセットごとにそれぞれ４つのブラケットを含み、それぞれのブラケットセットの各ブラケットは、ベース、ベースから突出したピン、および少なくとも１つの締結具孔を有し、前記ピンは前記ピン孔に緩く嵌る大きさを有し、
前記ピンをピン孔に完全に嵌め込み、締結具を前記締結具孔に嵌め込んで結合して柱の側面に設置されたときの前記ベースが上端部と反対側の下端部を有し、
少なくとも１つの平板が両側面端と、側面端付近に形成された溝と、両側面端の間に伸びる後方端と前方端を有し、前記ベースの上端部や下端部に付いた突出部が前記板の溝と結合し、
１セットのブラケットが前記第１および第２孔群に設置され、前記平板の後方端が第１、第２孔群に設置されたブラケットの間に嵌め込まれ、前記平板が前記第１垂直間隔に緩く嵌る厚さを有し、前記平板の後方端が柱の後方端と一致し、前記平板の後方端付近の上面が第１孔群に設置されたブラケッの下端部に接触し、前記平板の後方端付近の底面は第２孔群に設置されたブラケッの上端部に接触し、前記突出部が平板の溝と結合することを特徴とする、保管装置。
【請求項２】
前記柱がビームであり、前記平板が棚を含み、前記第１垂直間隔が棚の厚さと一致し、前記第２間隔は下上に隣接した一対の棚の間隔を含むことを特徴とする、請求項１に記載の保管装置。
【請求項３】
前記ビームが直方体であり、前記それぞれの孔群が上下に間隔を置いた２つ以上の孔を含むことを特徴とする、請求項２に記載の保管装置。
【請求項４】
前記孔が互いに上下に整列されることを特徴とする、請求項３に記載の保管装置。
【請求項５】
前記それぞれの孔群が上下に間隔を置いた３つ以上の孔を含むことを特徴とする、請求項２に記載の保管装置。
【請求項６】
前記孔のうちの中央孔がピンを嵌め込むピン孔であることを特徴とする、請求項５に記載の保管装置。
【請求項７】
前記突出部がベースの上端部にのみあることを特徴とする、請求項１に記載の保管装置。
【請求項８】
前記突出部がピン形態であることを特徴とする、請求項７に記載の保管装置。
【請求項９】
前記突出部が柱に設置されたときのベースを横切って伸びる突出部であって、柱の側面から外側に伸びることを特徴とする、請求項７に記載の保管装置。
【請求項１０】
前記ブラケットセットが柱の対向する側面に設置されて互いに対向する２対のブラケットを含むことを特徴とする、請求項１に記載の保管装置。
【請求項１１】
前記孔が柱を完全に貫通することを特徴とする、請求項１０に記載の保管装置。
【請求項１２】
前記ビームが、両側面間の幅と、上下端間の長さと、前記厚さと幅に直交する厚さを有し、前記前方端と後方端が厚さだけ離れており、前記２対の互いに対向するブラケットが上部ブラケット対と下部ブラケット対を含み、上下部ブラケット対が前記厚さだけ互いに離れることを特徴とする、請求項１０に記載の保管装置。
【請求項１３】
前記平板が一対の柱の間に掛かっている棚であって、棚の厚さだけ柱から片持ち梁形態で支持されることを特徴とする、請求項１２に記載の保管装置。
【請求項１４】
前記棚が水平に配置された片持ち梁であることを特徴とする、請求項１３に記載の保管装置。
【請求項１５】
前記柱の孔に設置されたブラケット対の間に多数の棚が設置されることを特徴とする、請求項１３に記載の保管装置。
【請求項１６】
前記柱の間に棚をさらに設置することができ、柱を追加することができることを特徴とする、請求項１５に記載の保管装置。
【発明の詳細な説明】
【技術分野】
【０００１】
本発明は箪笥に関し、より詳しくは、片持ち梁形態であり、交換することができる棚、引き出し、保管箱などを垂直柱に簡単に設置することができるモジュール型箪笥に関する。
【背景技術】
【０００２】
２０１０年３月９日付けのＨｕｍｂｅｒｔｏの米国特許７，６７３，７６２に紹介された箪笥やドレスルームに使用するモジュール型システムでは、垂直柱が水平棒によって壁面に支持されており、水平棚が柱の間に設置される。
【０００３】
２００８年７月１７日付けのＣｏｓｔａの米国特許７，３８７，２１２に紹介されたシステムでは、垂直柱の間隔を調節し、柱の間に一定の長さの多数のカバーを上端レールにぶら下げる。
【０００４】
２００６年８月０１日付けのＲｏｕｔｈｉｅｒの米国特許７，０８３，０５６に紹介された保管装置では、壁面に１つの水平レールを設置し、多数の保管具をレールの金属環にぶら下げる。
【０００５】
１９９７年２月１１日付けのＷｉｔｔの米国特許５，６０１，０１６に紹介された懸垂型棚装置では、トラック部材に懸垂部材を垂直に固定し、懸垂部材の間に連結レールを設置して懸垂部材の間隔を維持し、トラック部材は支持構造に設置する。
【０００６】
１９７０年５月２６日付けのＫｅｌｌｏｇｇの米国特許３，５１３，７８６では、ブラケットの後端部の突出部を支持部材の溝に嵌め込んでブラケットを支持部材に設置し、ブラケットに多数の棚を設置する。
【発明の概要】
【課題を解決するための手段】
【０００７】
本発明に係る保管装置は、２つ以上の柱が垂直に伸びる前方端と後方端を有し、これらの前後方端の間に両側面を有する。柱の側面に沿って同じ孔群が間隔を置いて形成されており、各孔群にピンを嵌め込むピン孔と締結具孔がある。孔群は柱の長さに沿って互いに行き違うように配列され、最上側から、第１孔群は柱の後方端付近に位置し、第２孔群は柱の前方端付近に位置し、第２孔群は第１孔群よりも下に第１垂直間隔を置いて位置する。第３孔群は第２孔群よりも下に第２垂直間隔を置いて柱の後方端付近に位置し、第２垂直間隔が第１垂直間隔よりも大きい。第４孔群は、第１垂直間隔だけ第３孔群よりも下に柱の前方端付近に位置する。
【０００８】
多数のブラケットセットにそれぞれ４つのブラケットを含み、それぞれのブラケットセットの各ブラケットは、ベース、ベースから突出したピン、および少なくとも１つの締結具孔を有し、ピンはピン孔に緩く嵌る大きさを有する。ピンをピン孔に完全に嵌め込み、締結具を前記締結具孔に嵌め込んで結合して柱の側面に設置されたときのベースは、上端部と反対側の下端部を有する。
【０００９】
少なくとも１つの平らな棚や荷重支持板が、一方側面で上下部ブラケット対の間に設置される。板の両側面端と、側面端付近に形成された溝と、両側面端の間に伸びる後方端と前方端を有し、ベースの上端部や下端部に付いている突出部が板の溝と結合する。
【００１０】
１セットのブラケットが前記第１および第２孔群に設置され、前記平板の後方端が第１、第２孔群に設置されたブラケットの間に嵌め込まれ、前記平板が前記第１垂直間隔に緩く嵌る程度の厚さを有し、前記平板の後方端が柱の後方端と一致し、前記平板の後方端付近の上面が第１孔群に設置されたブラケットの下端部と接触し、前記平板の後方端付近の底面は第２孔群に設置されたブラケットの上端部と接触する。突出部は平板の溝と結合する。
【００１１】
平板は棚であり、第１垂直間隔が棚の厚さと一致し、第２間隔は下上に隣接した一対の棚の間隔を含む。
【００１２】
柱はビームが好ましい。このビームは直方体である。それぞれの孔群は上下に間隔を置いた２つ以上の孔を含む。これらの孔は互いに上下に整列する。それぞれの孔群は上下に間隔を置いた３つ以上の孔を含むこともできる。この孔のうちの中央孔は、ピンを嵌め込むピン孔であることができる。
【００１３】
突出部はベースの上端部にのみあることができる。この突出部はピン形態であったり、突出部が柱に設置されたときのベースを横切って伸びる突出部であったりし、柱の側面から外側に伸びることもできる。
【００１４】
ブラケットセットは柱の対向する側面に設置され、互いに対向する２対のブラケッを含む。孔が柱を完全に貫通することができる。ビームは、両側面間の幅と、上下端間の長さと、前記厚さと幅に直交する厚さを有し、前記前方端と後方端が厚さだけ離れており、前記２対の互いに対向するブラケットが上部ブラケット対と下部ブラケット対を含み、上下部ブラケット対が前記厚さだけ互いに離れている。
【００１５】
平板は一対の柱の間に掛かっている棚であって、棚の厚さだけ柱から片持ち梁形態で支持される。棚が水平に配置された片持ち梁であることができる。柱の孔に設置されたブラケット対の間に多数の棚が設置されることもできる。柱の間に棚をさらに設置することができ、柱を追加することができる。
【図面の簡単な説明】
【００１６】
【図１】柱が４つであり、水平棚と傾いた靴台と引き出しと保管箱が設置された本発明のモジュール型棚／箪笥装置の斜視図である。
【図２】棚と靴台が再配置されて保管箱が取り除かれた図１の装置の斜視図である。
【図３】３つの柱に横台が組み立てられ、棚と靴台と保管箱を設置した状態の斜視図である。
【図４】図４ａは、棚が下上に設置され、一対の靴台が傾くように設置され、棚と靴台が一対のブラケットの間に嵌め込まれており、孔群が交互に行き違うように配列されている様子を示した本発明の装置の側面図である。図４ｂは、一対のブラケットの間に設置された引き出し支持台に引き出しが懸垂している様子を示した側面図である。図４ｃは、一対のブラケットの間に設置された保管箱支持台に保管箱が懸垂している様子を示した側面図である。
【図５】図５ａは、横台を柱に設置する構造を示すために横台の端部分を部分切断した状態の斜視図である。図５ｂは、横台が柱に設置された状態の斜視図である。
【図６】柱の一部分に設置された上下ブラケット間に棚が設置された状態の斜視図である。図６ａは図６の側面図である。
【図７】図７はブラケットの斜視図である。図７ａは図７のブラケットの平面図である。図７ｂは図７ａの７ｂ−７ｂ線の断面図である。
【図８】図２の上部棚と柱の間に設置されたつっかい棒の側面図である。
【図９】図９ａは、一対の環が付いている棚用クリップの正面図と側面図である。図９ｂは、図９ａのクリップが一対の棚の間に設置されており、棚に棒が付いている状態の正面図である。図９ｃは、図９ｂのクリップと棚の側面図である。
【発明を実施するための形態】
【００１７】
図に示された箪笥棚システムにおいて、多数の垂直柱１０の間から横台１２が水平に伸びている。横台１２は、図５ａに示すように、ボルト１２ａのような既存の方式によって柱１０に組み立てられ、ボルトは横台１２の端部に挿入されたねじレシーバ２ｂと結合し、柱のボルト孔１０ａに嵌め込まれる。横台１２端部に設置された整列ピン１２ｃは、柱１０の対応整列孔１０ｂに嵌められる。ボルト孔１０ａと整列孔１０ｂは、柱１０の後側端１０ｃに沿って形成される。
【００１８】
柱１０の長さに沿って孔（１６ａ〜ｂ）からなる多くの孔群１４が形成され、このような孔群は、柱の長さに沿って交互に互いに行き違うように間隔を置いて配置され、孔（１６ａ〜ｂ）からなる第１孔群１４ａは柱１０の前方端１０ｄ付近に位置し、第２孔群１４ｂは後方端１０ｃ付近に位置し、第３孔群１４ｃは前方端１０ｄ付近に位置し、第４孔群１４ｄは後方端１０ｃに位置するように配置される。第１孔群１４ａは、柱１０の上端部の後方端１０ｃ付近に位置することが好ましい（図２参照）。孔群（１４ａ〜ｂ）にブラケット１８が設置され、上方孔群１４ａと下方孔群１４ａに設置された２つのブラケット１８間の間隔（ａ）によって棚２０の基端部２０ａを嵌めることができ、この状態で棚２０の前端部は支持を受けなくても片持ち梁形態となる。
【００１９】
図７、７ａ〜ｂに詳しく示されたブラケット１８の平らなベース１８ａは、正面１８ｂと背面１８ｃを有する。ベース１８ａの両端部には、締結具を嵌め込む孔であるソケット１８ｄが形成される。ピン２２がベース１８ａに付着したり、一体に形成されたりする。ベース１８ａの上端部１８ｅにはロック突起２４が設置されたり、一体に形成されたりする。反対側の下端部１８ｆは平たい。ベース１８ａの角はラウンドしている。一方、ベース１８ａが直方体であることもできる。ピン２２は円筒状で示されているが、このような形状に限定されることはない。
【００２０】
ブラケット１８は、使用者が所望するとおりに棚、靴台、整理箱、引き出しなどを支持するのに使用するために、各孔群１４の孔（１６ａ〜ｂ）に設置される。ブラケットを柱１０に設置しようとすると、ピン２２を孔１６ｂに嵌め込み、ソケット１８ｄが孔１６ａに一致するようにベース１８を垂直に整列する。孔１６ｂにピン２２を嵌め込めば、棚２０や整理箱や引き出しのような一定の荷重を支持するせん断抵抗が生じる。ソケット１８ｄに嵌められたねじ２６が孔１６ａとねじ結合する。
【００２１】
間隔「ａ」を置いて孔群１４にブラケット１８を設置すると、上部ブラケット１８の下端部と下部ブラケット１８の上端部の間に棚２０を嵌め込み、棚の上面２０ｃが上部ブラケット１８の下端部１８ｆに支持され、棚の底面２０ｄは下部ブラケット１８の上端部に支持される。棚２０の底面２０ｄには下部ブラケット１８のロック突起２４に対応する位置に溝が形成されることが好ましい。したがって、上下ブラケット１８の間で軌道（ｂ）に沿って棚２０を嵌め込み、棚２０の底面２０ｄの溝を下部ブラケット１８のロック突起２４に一致させた後、棚２０を斜めに「ｃ」方向に水平になるように下すと、ロック突起２４が棚底面２０ｄの溝に嵌り、棚２０が柱１０の間で不注意に抜けなくなる。柱１０の間から棚２０を抜こうとすると、棚２０を「ｃ」の反対側に回転させて棚底面の溝をブラケットのロック突起２４から抜き取り、このとき、斜めになった傾斜棚を「ｂ」の反対方向に上下ブラケットの間から抜き取ればよい。使用者が棚２０の位置を調整しようとするときには、ブラケット１８のベース１８ａからねじ２６を緩めてブラケット１８を柱１０から分離した後、所望する孔群１４に再配置し、続いて柱１０に沿って新たな位置に棚２０を再び嵌め込めばよい。
【００２２】
周知のように、棚システムはモジュール型を構成し、柱１０を横台２の長さに合うように追加して所望する空間に合うように確張することができるため、棚２０や靴を置く靴台２８や整理箱３０や引き出し３２ａを嵌める引き出し棚３２を柱１０の間に所望する高さで設置することができる。
【００２３】
例えば、上部靴台２８を支持する一対の上部ブラケットと下部靴台２８を支持する一対の下部ブラケットの間に保存空間（ｄ）を設けることができる。同じように、下上に配置された棚２０の間や下上に配置された引き出し支持台３２ｂの間にも、このような保存空間（ｄ）を設けることができ、引き出し支持台３２ｂそれぞれは、レール３２ｃに付いた引き出し３２ａを滑るように支持する。引き出し場３２の場合、平らな引き出し支持台の後端部が一対の上下ブラケット１８の間に支持される。それぞれの平らな引き出し支持台３２ｂの側縁部に側板を付け、該当する引き出し３２ａを囲むように引き出し棚が形成される。
【００２４】
靴台２８の後端部２８ａを前端部２８ｂに対して傾くように一対のブラケット１８の間に水平に設置し、この状態で前端部２８ｂは柱１０から突出した片持ち梁形態で下に傾いた状態になり、靴台２８の前端部上側にレール２８ｃを設置して靴を支えるようにする。
【００２５】
棚２０は相当の重さを有するため、柱１０に４５度の角度に傾いたつっかい棒３４を利用して棚２０の中間区間２０ｅを支えるようにする。特に、各つっかい棒３４の上端部３４ａを棚の中間区間２０ｅの底面２０ｄに形成された孔に嵌め込み、棚２０の底面２０ｅを支持する下部ブラケット１８が設置された孔群１４のすぐ下の孔群１４の孔１６ａに９０度の角度でつっかい棒の下端部３４ｂを嵌める。
【００２６】
棚底面２０ｄに棒３６を付けておくことができる。
【００２７】
整理箱３０は、平らな整理箱支持台３０ａにぶら下がるように設置され、この支持台の後端部は該当する一対のブラケット１８の間に設置される。整理箱ハウジング３０ｂは整理する支持台３０ａの底面に設置され、柱１０に沿って下に伸びる。周知のように、棚２０、靴台２８、整理箱３０、引き出し３２のようなアクセサリは、一対の柱１０の間に使用者が所望するとおりに配置することができる。
【００２８】
３つの隣接柱１０の間に伸びる隣接棚２０の一対の棚２０の間に連結用クリップ３８を設置し、このようなクリップに付いた環３８ａを使用者が使用するようにすることもできる。クリップ３８を側面から見るとチャネルをなすＵ型リム３８ｂがあり、このようなリムを棚２０に嵌めることができる。
【図１】
2014532485.tif 000003
【図２】
2014532485.tif 000004
【図３】
2014532485.tif 000005
【図４ａ】
2014532485.tif 000006
【図４ｂ】
2014532485.tif 000007
【図４ｃ】
2014532485.tif 000008
【図５ａ】
2014532485.tif 000009
【図５ｂ】
2014532485.tif 000010
【図６】
2014532485.tif 000011
【図６ａ】
2014532485.tif 000012
【図７】
2014532485.tif 000013
【図７ａ】
2014532485.tif 000014
【図７ｂ】
2014532485.tif 000015
【図８ａ】
2014532485.tif 000016
【図８ｂ】
2014532485.tif 000017
【図９ａ】
2014532485.tif 000018
【図９ｂ】
2014532485.tif 000019
【図９ｃ】
2014532485.tif 000020
【国際調査報告】
2014532485.tif 000021
2014532485.tif 000022